(57)【特許請求の範囲】
【請求項１】
歩行を検出し歩数を計数する歩数計数手段と、歩行時間を計時する歩行計時部と、前記歩数計数手段で計数された歩数と前記歩行計時部で計時された歩行時間とから歩行ピッチを演算する歩行ピッチ演算手段と、身長を設定する身長設定手段と、前記身長設定手段で設定された身長と前記歩行ピッチ演算手段で演算された歩行ピッチとを歩幅＝ａ×身長×歩行ピッチ＋ｂ（ただし、ａ、ｂは回帰分析により求められた係数）で表される式に代入して歩幅を演算する歩幅演算手段と、前記歩幅演算手段で演算された歩幅を用いて歩行関連情報を演算する歩行関連情報演算手段と、前記歩行関連情報演算手段で演算された歩行関連情報を表示する表示部とを備えることを特徴とする歩数計。
【請求項２】
体重を設定する体重設定手段を更に備え、前記歩行関連情報演算手段は、前記体重設定手段で設定された体重と前記歩幅演算手段で演算された歩幅と前記歩行ピッチ演算手段で演算された歩行ピッチとを消費カロリー＝１÷２×体重×（歩幅×歩行ピッチ）２÷４.２で表される式に代入して消費カロリーを歩行関連情報として演算することを特徴とする請求項１記載の歩数計。
【発明の詳細な説明】
【０００１】
【発明の属する技術分野】
本発明は、歩数を計数すると共に歩幅を求めることが可能な歩数計に関するものである。
【０００２】
【従来の技術】
健康増進や体力向上を目的として、歩行運動（ウォーキング）が行われている。そして、このウォーキングの際には、歩行による歩数を表示する機能の他に歩行速度などの歩幅が関連する情報を表示する付加機能を備えた歩数計が用いられている。例えば、計時手段により計時された歩行時間と、設定手段により予め設定された歩幅と、計数手段により計数された歩数とを、演算手段において歩行速度＝歩数×歩幅÷歩行時間の演算式に代入して歩行速度を求め、表示手段によりこの歩行速度を歩数と共に表示する歩数計である。
【０００３】
【発明が解決しようとする課題】
しかしながら、上述した歩行速度などの歩幅が関連する情報を表示する付加機能を備えた歩数計は、被計測者が予め設定された歩幅で常に歩行しなければ正確な歩行速度などが演算されないという問題があった。
【０００４】
そこで、本発明は、上記のような従来の問題点を解決することを目的とするもので、被計測者の歩行中の歩幅の変化に対応し、歩幅が関連する情報を正確に演算することができる歩数計を提供することを課題とする。
【０００５】
【課題を解決するための手段】
上記目的を達成するために、本発明の歩数計は、歩行を検出し歩数を計数する歩数計数手段と、歩行時間を計時する歩行計時部と、前記歩数計数手段で計数された歩数と前記計時手段で計時された歩行時間とから歩行ピッチを演算する歩行ピッチ演算手段と、身長を設定する身長設定手段と、前記身長設定手段で設定された身長と前記歩行ピッチ演算手段で演算された歩行ピッチとから歩幅を演算する歩幅演算手段と、前記歩幅演算手段で演算された歩幅を用いて歩行関連情報を演算する歩行関連情報演算手段と、前記歩行関連情報演算手段で演算された歩行関連情報を表示する表示部とを備えることを特徴とする。
【０００６】
また、前記歩行関連情報演算手段は、前記歩幅演算手段で演算された歩幅と前記歩行ピッチ演算手段で演算された歩行ピッチとから歩行速度を歩行関連情報として演算することを特徴とする。
【０００７】
また、前記歩行関連情報演算手段は、前記歩幅演算手段で演算された歩幅と前記歩行ピッチ演算手段で演算された歩行ピッチと前記歩行計時部で計時された歩行時間とから移動距離を歩行関連情報として演算することを特徴とする。
【０００８】
また、前記歩行関連情報演算手段は、前記歩幅演算手段で演算された歩幅と前記歩数計数手段で計数された歩数とから移動距離を歩行関連情報として演算することを特徴とする。
【０００９】
また、体重を設定する体重設定手段を更に備え、前記歩行関連情報演算手段は、前記体重設定手段で設定された体重と前記歩幅演算手段で演算された歩幅と前記歩行ピッチ演算手段で演算された歩行ピッチとから消費カロリーを歩行関連情報として演算することを特徴とする。
【００１０】
上述の発明では、歩幅演算手段において、身長設定手段で設定された身長と歩行ピッチ演算手段で演算された歩行ピッチとから歩幅が演算されるので、身長や歩行ピッチに応じて変化する関係にある歩幅を得ることができる。
【００１１】
更に、歩行関連情報演算手段において、歩行速度、移動距離、消費カロリーなどの歩行関連情報は、この歩幅を用いて演算されるので、被計測者の歩行中の歩幅の変化に対応した結果として得ることができる。
【００１２】
【発明の実施の形態】
以下、本発明の実施の形態について図面を用いて説明する。
【００１３】
まず初めに、図１は本発明に係わる歩数計の構成を示すブロック図である。本発明の歩数計は、歩数計数手段１と、歩行計時部２と、歩行ピッチ演算手段３と、身長設定手段４と、体重設定手段５と、記憶部６と、歩幅演算手段７と、歩行関連情報演算手段８と、電源部９と、表示部１０と、外部出力部１１と、音声部１２とから構成する。
【００１４】
歩数計数手段１は、歩行を検出し歩幅を計数する手段であり、例えば、人体の歩行による動きを検出する歩行センサ部１３と、この歩行センサ部１３からのアナログ信号を増幅する増幅部１４と、この増幅部１４からのアナログ信号をデジタル変換するＡ／Ｄ変換部１５と、このＡ／Ｄ変換部１５からのデジタル信号を歩数として計数化する歩数演算部１６とから成る。
【００１５】
歩行計時部２は、歩数計数手段１で歩行を検出している間の歩行時間を計時する。
【００１６】
歩行ピッチ演算手段３は、歩数計数手段１で計数化された歩数と歩行計時部２で計時された歩行時間とから歩行ピッチを演算する。
【００１７】
身長設定手段４は身長を設定する操作部１７であり、体重設定手段５は体重を設定する操作部１７であり、これら操作部１７は共用される。
【００１８】
記憶部６は、身長設定手段４で設定された身長、体重設定手段５で設定された体重を記憶する。また、歩行計時部２、歩数演算部１６、歩行ピッチ演算手段３、歩幅演算手段７、歩行関連情報演算手段８などにより得られたデータを記録として記憶する。
【００１９】
歩幅演算手段７は、歩行ピッチ演算手段３で演算された歩行ピッチと身長設定手段４で設定された身長とから歩幅を演算する。
【００２０】
歩行関連情報演算手段８は、歩幅演算手段７で演算された歩幅を用いて歩行関連情報を演算する。歩行関連情報は、歩幅が一要因として関与して成立する情報であり、例えば、歩行速度、移動距離、消費カロリーなどのことである。
【００２１】
電源部９は、本歩数計に電力を供給するもので、電源１８および電源スイッチ１９から成る。
【００２２】
表示部１０は、身長設定手段４や体重設定手段５で設定される設定状況、歩数計数手段１で計数される歩数、歩行計時部２で計時される歩行時間、歩行ピッチ演算手段３で演算される歩行ピッチ、歩幅演算手段７で演算される歩幅、歩行関連情報演算手段８で演算される歩行速度、移動距離、消費カロリーなどの歩行関連情報などを表示する。
【００２３】
外部出力部１１は、記憶部６に記録として記憶されているデータをパソコンなどの外部機器に出力する。
【００２４】
音声部１２は、歩行関連情報演算手段８で得られた歩行関連情報が被計測者にとって不適切な結果である場合に報知する。
【００２５】
なお、歩数計数手段１の歩数演算部１６と歩行ピッチ演算手段３と歩幅演算手段７と歩行関連情報演算手段８とは、ＣＰＵ２０に備えられる。
【００２６】
次に、図２は本発明に係わる歩数計の取扱手順および動作の流れを示すフローチャートである。まず初めに被計測者は、本発明の歩数計の電源部９の電源スイッチ１９を閉じることにより電源１８を投入する（ステップＳ１）。このとき、電源１８から電力が供給され、歩数計の各部は動作可能状態となる。
【００２７】
続いて、被計測者は、自身の身長および体重を操作部１７により設定する（ステップＳ２）。このとき、設定された身長および体重のデータは、記憶部６に記憶される（以下、各ステップで得られる各種データは同様に記憶部６に記憶される。）。
【００２８】
続いて、歩数計は、被計測者が歩行することにより歩数計数手段１において歩数が計数される。また、この際に、歩行計時部２において歩行時間が計時される（ステップＳ３）。
【００２９】
続いて、歩行ピッチ演算手段３において、予めＣＰＵ２０の処理手段としてプログラムされている歩行ピッチ＝歩数÷歩行時間の式（１）に、ステップＳ３における歩数と歩行時間と代入して、歩行ピッチを演算する（ステップＳ４）。
【００３０】
続いて、歩幅演算手段７において、予めＣＰＵ２０の処理手段としてプログラムされている歩幅＝ａ×身長×歩行ピッチ＋ｂの式（２）に、ステップＳ２における身長とステップＳ４における歩行ピッチとを代入して、歩幅を演算する（ステップＳ５）。なお、式（２）は、本発明者の研究により見出されたものであり、図３の歩幅と歩行ピッチと身長との関係を示すグラフのように、身長が高くなる程あるいはピッチが速くなる程、歩幅が広くなることに基づいて回帰分析された回帰式である。また、ａ、ｂは回帰分析により求められた係数である。
【００３１】
続いて、歩行関連情報演算手段８において、予めＣＰＵ２０の処理手段としてプログラムされている歩行関連情報の式に、ステップＳ５における歩幅と歩行関連情報に関与する他の要因とを代入し、歩行関連情報を演算する（ステップＳ６）。
【００３２】
例えば、歩行速度を演算する場合には、歩行速度＝歩幅×歩行ピッチの式（３）に、ステップＳ５における歩幅とステップＳ４における歩行ピッチとを代入することにより行う。また、移動距離を演算する場合には、移動距離＝歩幅×歩行ピッチ×歩行時間の式（４）に、ステップＳ５における歩幅とステップＳ４における歩行ピッチとステップＳ３における歩行時間とを代入することにより行う。あるいは、移動距離＝歩幅×歩数の式（５）に、ステップＳ５における歩幅とステップＳ３における歩数とを代入することにより行う。更に、消費カロリーを演算する場合には、消費カロリー＝１÷２×体重×（歩幅×歩行ピッチ）２÷４.２の式（６）に、ステップＳ２における体重とステップＳ５における歩幅とステップＳ４における歩行ピッチとを代入して、消費カロリーを演算する。なお、式（６）において“４.２”とは熱の仕事当量である。
【００３３】
また、ここで例えば、演算された歩行速度が健康増進や脂肪燃焼に不適切であった場合には、音声部１２により不適切な歩行速度である旨が報知される。
【００３４】
続いて、表示部１０において、上記各ステップにおいて得られたデータ、すなわち、身長や体重の設定状況、歩数、歩行時間、歩行ピッチ、歩幅、歩行速度、移動距離、消費カロリーなどの歩行関連情報などが表示される（ステップＳ７）。
【００３５】
なお、外部出力部１１を外部機器に接続することにより、上記各ステップにおいて得られた各種データや過去に得られた履歴データを出力される。
【００３６】
上述したように、本発明の歩数計は、本発明者の研究により見出された歩幅と歩行ピッチと身長との関係に基づいて、歩幅演算手段７において、身長設定手段４で設定された身長と歩行ピッチ演算手段３で演算された歩行ピッチとから歩幅を演算するので、被計測者の歩行中の歩幅の変化に対応することができる。
【００３７】
そして、歩行関連情報演算手段８では、この歩幅を用いて、歩行速度、移動距離、消費カロリーなどの歩行関連情報を演算するので、被計測者の歩行中の歩幅の変化に対応した結果を得ることができる。
【００３８】
なお、本明細書で「歩行」の文言は、「走行」も含むものである。
【００３９】
【発明の効果】
以上説明したように、本発明によると、身長と歩行ピッチにより変化する歩幅が歩幅演算手段により求められ、この歩幅に基づいて、歩行関連情報演算手段により歩行関連情報が求められるので、被計測者は常に一定の歩幅で歩行しなければならないといった意識をすることなく歩行し、正確な歩行関連情報を得ることができる。
【図面の簡単な説明】
【図１】本発明に係わる歩数計の構成を示すブロック図である。
【図２】本発明に係わる歩数計の取扱手順および動作の流れを示すフローチャートである。
【図３】歩幅と歩行ピッチと身長との関係を示すグラフである。
【符号の説明】
１  歩数計数手段
２  歩行計時部
３  歩行ピッチ演算手段
４  身長設定手段
５  体重設定手段
６  記憶部
７  歩幅演算手段
８  歩行関連情報演算手段
９  電源部
１０  表示部
１１  外部出力部
１２  音声部
１３  歩行センサ部
１４  増幅部
１５  Ａ／Ｄ変換部
１６  歩数演算部
１７  操作部
１８  電源
１９  電源スイッチ
２０  ＣＰＵ
【図１】
0003734429.tif 000002
【図２】
0003734429.tif 000003
【図３】
0003734429.tif 000004